(57)【要約】【課題】全体の高さを増やすことなく、キャップに意匠性のある装飾を施すことが出来るボタンを提供する。【解決手段】相互に係合可能な雌雄部材（Ｆ，Ｍ）からなる。雌部材（Ｆ）は、キャップ（１）と、枠体（３）と、中芯（４）と、バネ（４１）と、鋼球（４２）と、生地固定部（５，６）とからなる。雄部材（Ｍ）は、ギボシ（７）と生地固定部（８，９）とからなる。前記キャップ（１）と前記中芯（４）はリベット（２）によりかしめられており、前記キャップ（１）の表面には装飾を施こすのが好ましい。【選択図】図６
2010240336.tif 000002
【特許請求の範囲】
【請求項１】
相互に係合可能な雌雄部材（Ｆ，Ｍ）からなり、
前記雌部材（Ｆ）は、キャップ（１，１Ａ）と、枠体（３，３Ａ）と、中芯（４，４Ａ）と、バネ（４１，４１Ａ）と、鋼球（４２，４２Ａ）と、生地固定部（５，６；５Ａ，６Ａ）とからなり、
前記キャップ（１，１Ａ）と前記中芯（４，４Ａ）はリベット（２）により固定され、その固定状態で前記枠体（３，３Ａ）に対してスライド可能であり、
前記鋼球（４２，４２Ａ）は、前記枠体（３，３Ａ）と前記中芯（４，４Ａ）の間に挿入され、その中で移動可能であり、
前記中芯（４，４Ａ）は、前記鋼球（４２，４２Ａ）の移動に伴い、ロック状態で鋼球を収容し、非ロック状態で排出する収容部（４５，４５Ａ）を有しており、
前記バネ（４１，４１Ａ）は前記枠体（３，３Ａ）と前記中芯（４，４Ａ）の間に挿入され、前記キャップ（１，１Ａ）と前記中芯（４，４Ａ）に対して押し上げ力を付与しており、
前記雄部材（Ｍ）は、ギボシ（７，７Ａ）と生地固定部（８，９；８Ａ，９Ａ）とからなり、
前記ギボシ（７，７Ａ）は、前記中芯（４，４Ａ）内部に挿入可能な頭部（７１，７１Ａ）と、前記鋼球（４２，４２Ａ）を固定するくびれ（７５，７５Ａ）を有する、
ことを特徴とするロックが可能なボタン。
【請求項２】
前記生地固定部（５，６）が前記中芯（４）の方向にすり鉢状に窪んでいる請求項１記載のボタン。
【請求項３】
前記生地固定部（５，６）が前記枠体（３）に支持された雄ネジ（５）と、裏座の雌ネジ（６）の組合せである、請求項１又は２記載のボタン。
【請求項４】
前記生地固定部（３Ａ，６Ａ，６３）が前記枠体（３Ａ）と、裏座（６Ａ）を貫通するピン（６３）である、請求項１又は２記載のボタン。
【請求項５】
前記キャップ（１）と前記中芯（４）がリベット（２）によりかしめられている請求項１〜４記載のボタン。
【請求項６】
前記キャップ（１）の表面に装飾を施こされている請求項１〜５のいずれかに記載のボタン。
【発明の詳細な説明】
【技術分野】
【０００１】
本発明は、雌雄部材からなるボタンであって、係合状態でロックが可能であり、雌雄部材の接合及び分離のときに、ロックを解除して行う形式のボタンに関する。
【背景技術】
【０００２】
この種のボタンは、例えば特開平８−２１４９１６により公知である。この従来技術では、次のような欠点がある。
【０００３】
（１）上記従来技術では、雄部材のギボシ頭部を保持するのはグリッパと呼ばれる窪みを有する筒体である。雌雄部材の係合やその解除に滑らかさや正確性に欠けるという欠点があった。さらに長期間の使用により、グリッパが変形してさらに正確さを失うことがあった。
（２）上記従来技術では、雌部材の下端面が水平であるので、雄部材と係合させるとき、両者を垂直に配置しなければ係合が不可能である。急いでいるときなどにはつい斜めから係合させようとして失敗することがよくあった。
（３）上記従来技術では、使用する部品数は、雌部材が９点、雄部材が５点であり、比較的に部品数が多い。
【発明の概要】
【発明が解決しようとする課題】
【０００４】
本発明では、上記従来技術の欠点を解消させることを目的とする。すなわち、この種のボタンにおいて、雌雄部材の係合やその解除に滑らかさや正確性を付与し、ある程度斜めからでも雌雄部材を係合させることができ、部品数も減らすことができるようなボタンを提供することを目的とする。
【課題を解決するための手段】
【０００５】
本発明請求項１のロックが可能なボタンは、相互に係合可能な雌雄部材からなり、前記雌部材は、キャップと、枠体と、中芯と、バネと、鋼球と、生地固定部とからなり、前記キャップと前記中芯はリベットにより固定され、その固定状態で前記枠体に対してスライド可能であり、前記鋼球は、前記枠体と前記中芯の間に挿入され、その中で移動可能であり、前記中芯は、前記鋼球の移動に伴い、ロック状態で鋼球を収容し、非ロック状態で排出する収容部を有しており、前記バネは前記枠体と前記中芯の間に挿入され、前記キャップと前記中芯に対して押し上げ力を付与しており、前記雄部材は、ギボシと生地固定部とからなり、前記ギボシは、前記中芯内部に挿入可能な頭部と、前記鋼球を固定するくびれを有することを特徴とする。
【０００６】
請求項２のボタンは、請求項１において、生地固定部が前記中芯の方向にすり鉢状に窪んでいるものである。
【０００７】
請求項３のボタンは、請求項１又は２において、生地固定部が前記枠体に支持された雄ネジと、裏座の雌ネジの組合せであるものである。
【０００８】
請求項４のボタンは、請求項１又は２において、生地固定部が前記枠体と、裏座を貫通するピンであるものである。
【０００９】
請求項５のボタンは、前記キャップと前記中芯がリベットによりかしめられているものである。
【００１０】
請求項６のボタンは、前記キャップに装飾が施されているものである。
【発明の効果】
【００１１】
請求項１の発明によれば、ロック状態を維持するのは鋼球とこの鋼球が嵌るギボシのくびれなので、係合が滑らかで、しかも確実である。また、長期間使用しても鋼球が変形することはないので、係合の滑らかさや正確性をいつまでも保持することが出来る。
【００１２】
請求項２の発明によれば、生地固定部が前記中芯の方向にすり鉢状に窪んでいるので、雄部材のギボシを挿入させるときに多少斜めになっていても係合が可能である。
【００１３】
請求項３の発明によれば、生地との固定に雄ネジと雌ネジを用いるので打ち付機械がなくても取付可能である。
【００１４】
請求項４の発明によれば、生地との固定にネジ加工のような精巧な加工が必要ないので、製造コストが下げられる。
【００１５】
請求項５の発明によれば、キャップと中芯がリベットによりかしめられているので、従来技術に比べ、肉厚のものも採用可能である。そのため、製品化する前のキャップは取替変更することや表面に文字や図形等の装飾を施すことが容易となった。
【００１６】
請求項６の発明によれば、文字や図形等の装飾を施したボタンが得られる。
【図面の簡単な説明】
【００１７】
【図１】本発明第１実施例のボタン雌雄部材の斜視図であるが、生地の背面側部品は分離した状態で描いている。
【図２】雌部材第１実施例の分解斜視図である。
【図３】雌部材第１実施例の分解側面である。
【図４】雄部材第１実施例の分解斜視図である。
【図５】雄部材第１実施例の分解側面図である。
【図６】第１実施例雌雄部材を結合させた状態の断面図である。
【図７】雌部材第２実施例の分解斜視図である。
【図８】雌部材第２実施例の分解側面である。
【図９】雄部材第２実施例の分解側面図である。
【図１０】第２実施例雌雄部材を結合させた状態の断面図である。
【発明を実施するための形態】
【００１８】
以下、添付の図面に基づき、本発明の実施形態を説明する。
【実施例１】
【００１９】
図１に示すように、ボタンは雌雄部材Ｆ、Ｍから構成され、それぞれが生地Ｗ１，Ｗ２に固着されている。
【００２０】
図２，図３は、雌部材Ｆを示す。これらの図に示すように、雌部材は、生地Ｗ１の上側に７部品（上から、キャップ１、リベット２、枠体３、バネ４１、中芯４、鋼球４２、雄ネジ５）、生地の下側に１部品（裏座６）を有する。
【００２１】
キャップ１は、円板であり、その下面に窪み１１を有する。その窪みから下向きに板状の突起１２が４枚突出している。キャップ１の表面は、文字や図形等で装飾を行うことが好ましい。
【００２２】
リベット２は、小径の短い筒であり、上部２１が花びらのように開いている。
【００２３】
枠体３は、上部が小径の筒３２であり、下部に向かって大径となっている。途中内部には拡張空間３１が形成されている。枠体の上端には段部３３が形成されている。枠体の下面は窪んでおり、その窪み３４側部から下向きに粒状の突起３５が４個突出している。また、枠体下部の底面にはリング３６と８個の爪状突起３７が設けられている。
【００２４】
バネ４１は、圧縮コイルバネである。
【００２５】
中芯４は、やや肉厚の筒であり、上半分４３よりも下半分４４の方がやや大径であるので、境界部に段部４７が形成されている。下半分４４には、貫通孔４５が２個向き合って形成されている。
【００２６】
鋼球４２は、貫通孔４５に嵌る大きさの直径を有する。
【００２７】
雄ネジ５は、上部フランジ５１とネジ部５２からなる。上部フランジには４個所切り欠き５３が設けられている。
【００２８】
裏座６は雌ネジであり、下部フランジ６１とネジ部６２からなる。
【００２９】
以上の部品は図６に示すように組み合わされる。すなわち、キャップ１と中芯４がリベット２によりかしめられる。このとき、リベット２の上端２１はキャップ１の板状突起１２により支持され、リベットの下端２２は中芯の上端４６により支持される。この中芯４の外部を枠体３が包囲する。枠体３は、リング３６がかしめられて、雄ネジ上部フランジ５１を支持することにより、その位置が固定される。雄ネジ５の切り欠き５３（図２）は、枠体３の突起３５（図３）と係合して回り止めとなる。バネ４１は、中芯４と枠体３の間に挿入され、枠体の段部３３と中芯の段部４７の間に配置される。鋼球４２は貫通孔４５に挿入される。雄ネジ５は、生地Ｗ１を挟んで裏座６の雌ネジ６２とネジ結合している。枠体３の爪状突起３７は生地に食い込んで回転を阻止する。
【００３０】
一方、図４，図５は、雄部材Ｍを示す。これらの図に示すように、雄部材Ｍは、生地Ｗ２の上側に２部品（上から、ギボシ７、リベット８）、生地の下側に１部品（裏座９）を有する。
【００３１】
ギボシ７は、上部に球体に近い頭部７１を有し、下部が裾広がりの円板となっている。下部の下面は窪んでおり、その窪み７２から下向きに板状の突起７３が４枚突出している。首部７４にはくびれ７５が設けられている。
【００３２】
リベット８は、小径の短い筒であり、上部８１が花びらのように開いている。
【００３３】
裏座９は、貫通孔９１を有する円板であり、下面は窪み９２となっている。
【００３４】
以上の部品は図６に示すように組み合わされる。すなわち、ギボシ７と裏座９がリベット８によりかしめられる。このとき、リベットの上端８１はギボシの板状突起７３により支持され、リベットの下端８２は裏座９の窪み９２により支持される。
【００３５】
この図６は雌雄部材Ｆ，Ｍが結合している状態であり、この状態では雌部材Ｆの鋼球４２が雄部材Ｍのくびれ７５に嵌っているため、両者を分離させることが出来ない。雌雄部材Ｆ，Ｍを分離させるにはキャップ１を摘み、バネ４１の付勢力に抗して中芯４を持ち上げる必要がある。そうすると、鋼球４２が雄部材のくびれ７５から脱し、拡張空間３１に入って抵抗がなくなるので、雌雄部材のロックが解除される。雌雄部材を接合させるときにも、同様の操作が必要となる。
【００３６】
このとき、裏座６及び雄ネジ５は中芯４の方向にすり鉢状に窪んでいるので、雄部材のギボシ７が傾いていても挿入係合が可能である
【００３７】
本実施例では、部品数が雄部材で７点、雌部材で３点であり、冒頭に紹介した従来例と比べて４点も少なくすることができる。
【実施例２】
【００３８】
図７〜図１０は、本発明の第２実施例である。第１実施例と異なるのは、雌部材Ｆにおいて、雄ネジを使用せず、枠体３Ａと裏座６Ａを直接ピン６３でかしめてしまうことである。そのためには、枠体３Ａに延長部３８を設け、貫通孔３９を設けると共に、裏座６Ａにも開口部６４を設けておく必要がある。
【００３９】
その他、第１実施例と同様の部品には、第１実施例で使用した符号に「Ａ」を付けて使用し、その説明を省略する。
【００４０】
このとき、裏座６Ａ及び雄ネジ５Ａは中芯４Ａの方向にすり鉢状に窪んでいるので、雄部材のギボシ７Ａが傾いていても挿入係合が可能である
【００４１】
本実施例では、部品数が雄部材で８点、雌部材で３点であり、冒頭に紹介した従来例と比べて３点も少なくすることができる。
【符号の説明】
【００４２】
１，１Ａ      キャップ
１２   板状突起
２，２Ａ      リベット
２１   上端
２２   下端
３，３Ａ      枠体
３１   拡張空間
３２   小径の筒
３３   段部
３５   突起
３６   リング
３７   爪状突起
３８   延長部
３９   貫通孔
４，４Ａ      中芯
４１   バネ
４２   鋼球
４３   上半分
４４   下半分
４５   貫通孔
４６   上端
４７   段部
５  雄ネジ
５１   上部フランジ
５２   ネジ部
６，６Ａ      裏座
６１   下部フランジ
６２   ネジ部
６３   ピン
６４   開口部
７     ギボシ
７１   頭部
７３   板状突起
７４   首部
８     リベット
８１   上端
８２   下端
９     裏座
９１   貫通孔
Ｆ     雌部材
Ｍ     雄部材
Ｗ１，Ｗ２    生地
【先行技術文献】
【特許文献】
【００４３】
【特許文献１】特開平８−２１４９１６
【図１】
2010240336.tif 000003
【図２】
2010240336.tif 000004
【図３】
2010240336.tif 000005
【図４】
2010240336.tif 000006
【図５】
2010240336.tif 000007
【図６】
2010240336.tif 000008
【図７】
2010240336.tif 000009
【図８】
2010240336.tif 000010
【図９】
2010240336.tif 000011
【図１０】
2010240336.tif 000012